(57)【特許請求の範囲】
【請求項１】
車体フレームと、
前記車体フレームの外側に設けられるフレームカバーと、
前記車体フレームに設けられ、シートレールの延伸方向に直角な方向の上側に向かって延伸し、ヘルメットに設けられる掛止用リングを掛け止めることができるフック部と、
前記フック部の近傍に設けられ、前記フレームカバーの内周面の内側下方に位置し、鞍乗型車両の外側斜め上方に向かって突起して前記フレームカバーの変形を規制する規制部と、
を有することを特徴とする鞍乗型車両。
【請求項２】
前記フック部の一端は前記車体フレームに固定され、他端は前記車体フレームから離間しており、
前記規制部は、前記フック部の前記一端と前記他端との中間位置に設けられることを特徴とする請求項１に記載の鞍乗型車両。
【請求項３】
前記フック部は、前記掛止用リングを掛け止めることができる掛止部と、前記掛止部から延伸し前記掛止用リングに挿通可能な略棒状のガイド部とを有し、
前記規制部は、前記ガイド部の長手方向の中間位置に設けられることを特徴とする請求項２に記載の鞍乗型車両。
【請求項４】
前記フック部と前記規制部とは金属線材または金属棒材により一体に形成され、前記車体フレームに設けられることを特徴とする請求項１から３のいずれか１項に記載の鞍乗型車両。
【請求項５】
前記規制部の先端と前記フレームカバーの内周面との間には隙間が形成されることを特徴とする請求項１から４のいずれか１項に記載の鞍乗型車両。
【請求項６】
前記規制部の先端にはクッション材が設けられることを特徴とする請求項１から５のいずれか１項に記載の鞍乗型車両。
【請求項７】
複数の前記フレームカバーを備え、前記規制部は、前記フレームカバーどうしの境界近傍に設けられることを特徴とする請求項１から６のいずれか１項に記載の鞍乗型車両。
【請求項８】
前記車体フレームは、着座シートが着脱可能に取り付けられるシートレールを備え、前記フック部および前記規制部は、前記シートレールに設けられることを特徴とする請求項１から７のいずれか１項に記載の鞍乗型車両。
【発明の詳細な説明】
【技術分野】
【０００１】
本発明は、鞍乗型車両に関する。詳しくは、自動二輪車や原動機付自転車やハンドル形電動車いす（いわゆるシニアカー）などの鞍乗型車両であって、ヘルメットを掛け止めることができるヘルメットホルダを備える鞍乗型車両に関する。
【背景技術】
【０００２】
自動二輪車や原動機付自転車などといった鞍乗型車両には、ヘルメットを掛け止めて保持するヘルメットホルダが設けられるものがある。運転者は、ヘルメットを使用しないときには、ヘルメットをヘルメットホルダに保持させておくことができる。このため、ヘルメットの盗難を防止できる。
【０００３】
ヘルメットホルダの従来例としては、例えば特許文献１に記載のように、車体フレームの上側にヘルメット掛止用のフックが設けられるとともに、運転シートの下面にクッション材が設けられるという構成がある。このような構成によれば、運転シートが車体フレームの上側に取り付けられると、クッション材がヘルメット掛止用のフックの上側に当接し、ヘルメット掛止用のフックと運転シートの下部との間に隙間がなくなる。したがって、ヘルメットのリングがヘルメット掛止用のフックから外れないようにでき、ヘルメットホルダに掛け止められたヘルメットの盗難などを防止できる。
【先行技術文献】
【特許文献】
【０００４】
【特許文献１】特開平８−４０３３６号公報
【発明の概要】
【発明が解決しようとする課題】
【０００５】
しかしながら、特許文献１に記載の構成では、運転シートを引っ張り上げるとともに、フレームカバーを強く押して撓ませることで、ヘルメット掛止用のフックと運転シートの底部との間に隙間を形成してヘルメットが抜き取られるおそれがある。特に、フレームカバーが分割して形成される構成であると、フレームカバーを撓ませやすい。このような問題を解消し、かつ分割したフレームカバーを用いるためには、運転シートとヘルメット掛止用のフックが接触する箇所において、フレームカバーの変形を抑制する必要がある。このため、フレームカバーの厚さを増加させるか、またはリブなどを追加形成して剛性を高める必要がある。そうすると、重量の増加や、形状や構造の複雑化による生産性の低下を招くおそれがある。また、一体成形のフレームカバーが用いられる構成では、フレームカバーの成形に用いる成形型の寸法が大きくなるため、生産性が低下するおそれがある。さらに、フレームカバーの意匠の自由度が低くなるという問題を有する。
【０００６】
前記課題を解決するため、本発明は、ヘルメットのリングがヘルメットホルダから外れないようにできる鞍乗型車両を提供することである。特に、フレームカバーの変形を防止して、フレームカバーと着座シートとの間にヘルメットのリングを抜き取り可能な隙間が生じないようにできる鞍乗型車両を提供することである。
【課題を解決するための手段】
【０００７】
前記課題を解決するため、本発明は、車体フレームと、前記車体フレームの外側に設けられるフレームカバーと、前記車体フレームに設けられ、シートレールの延伸方向に直角な方向の上側に向かって延伸し、ヘルメットに設けられる掛止用リングを掛け止めることができるフック部と、前記フック部の近傍に設けられ、前記フレームカバーの内周面の内側下方に位置し、鞍乗型車両の外側斜め上方に向かって突起して前記フレームカバーの変形を規制する規制部と、を有することを特徴とする。
【０００８】
前記フック部の一端は前記車体フレームに固定され、他端は前記車体フレームから離間しており、前記規制部は、前記フック部の前記一端と前記他端との中間位置に設けられることを特徴とする。
【０００９】
前記フック部は、前記掛止用リングを掛け止めることができる掛止部と、前記掛止部から延伸し前記掛止用リングに挿通可能な略棒状のガイド部とを有し、前記規制部は、前記ガイド部の長手方向の中間位置に設けられることを特徴とする。
【００１０】
前記フック部と前記規制部とは金属線材または金属棒材により一体に形成され、前記車体フレームに設けられることを特徴とする。
【００１１】
前記規制部の先端と前記フレームカバーの内周面との間には隙間が形成されることを特徴とする。
【００１２】
前記規制部の先端にはクッション材が設けられることを特徴とする。
【００１３】
複数の前記フレームカバーを備え、前記規制部は、前記フレームカバーどうしの境界近傍に設けられることを特徴とする。
【００１４】
前記車体フレームは、着座シートが着脱可能に取り付けられるシートレールを備え、前記フック部および前記規制部は、前記シートレールに設けられることを特徴とする。
【発明の効果】
【００１５】
本発明の鞍乗型車両によれば、規制部がフレームカバーの変形を規制する。このため、フック部の近傍に、ヘルメットのリングを抜き取ることができるような隙間が生じないようにできる。したがって、ヘルメットのリングがヘルメットホルダから外れることを防止できる。特に、規制部がフック部の一端と他端の間の中間位置に設けられる構成であると、フレームカバーのフック部に対応する位置の変形が規制される。そして、着座シートとフレームカバーとの間にヘルメットのリングを通過可能な隙間が生じないようにできる。
【００１６】
また、フック部が、ヘルメットのリングを掛止める掛止部と、掛止部から延伸するガイド部を有し、規制部が、掛止部の長手方向の中間位置に設けられる構成が適用できる。このような構成であると、ヘルメットのリングを掛止部からガイド部の端部に移動させる際の経路において、フレームカバーの変形を規制できる。したがって、掛止部に掛け止められたヘルメットのリングが、ガイド部を通過して抜け落ちることがないようにできる。
【００１７】
規制部とフック部とは、単一の金属線または金属棒からなり、曲げ加工より形成される。このため、部品点数の増加を防止することができる。そして、部品点数の増加を防止できるから、規制部とフック部とを車体フレームに取り付ける作業の工数の削減を図ることができる。また、規制部とフック部の材料として、単純な金属線または金属棒が適用できるから、部品コストの削減を図ることができる。
【００１８】
規制部の先端とフレームカバーの内周面との間には、隙間が形成される。このため、フレームカバーや規制部の先端が摩耗や損傷することを防止できる。そして、規制部の先端にクッション材が設けられる構成であると、運転時の振動や乗車時の変形などによって規制部の先端がフレームカバーの内周面に接触しても、フレームカバーや規制部の摩耗や損傷を防止できる。
【００１９】
本発明は、規制部がフレームカバーの変形を規制する構成であるから、フレームカバー自体に変形を防止または抑制するための構造を設ける必要がない。このため、フレームカバーの構造が複雑になることや、重量が増加することを防止できる。したがって、フレームカバーの製造コストの上昇を防止できる。さらに、従来のように、フレームカバーを一体に成形することによって変形しにくいようにする構成にする必要がなくなるから、フレームカバーを複数に分割できる。すなわち、従来のヘルメットホルダが適用される鞍乗型車両においては、ヘルメットホルダ近傍におけるフレームカバーの強度を高めて変形を防止する必要がある。このため、フレームカバーを一体に成形することにより強度を高めるという構成が用いられている。しかしながら、フレームカバーが一体に成形される構成では、成形に用いる成形型が大型化するため、設備コストが上昇する。さらに、フレームカバーの意匠の自由度が低いという問題点を有している。これに対して、フレームカバーを分割して成形できる構成であると、フレームカバーの成形に用いる成形型の小型化を図ることができる。このため、設備コストの削減を図ることができる。さらに、複数のフレームカバーを別個に形成できるから、フレームカバーの意匠の自由度が向上する。
【図面の簡単な説明】
【００２０】
【図１】図１は、本自動二輪車を左側から見た側面図である。
【図２】図２は、図１のＡ部近傍の拡大図であり、本ヘルメットホルダが設けられる部分を抜き出して示した図である。
【図３】図３は、シートレールと後部フレームカバーと本ヘルメットホルダとの関係を示した断面図である。
【図４】図４（ａ）は、本ヘルメットホルダ８を左側から見た側面図であり、図４（ｂ）は、本ヘルメットホルダを上側から見た平面図である。
【図５】図５は、本ヘルメットホルダと後部フレームカバーとの関係を示した側面図である。
【図６】図６は、本ヘルメットホルダにヘルメットのリングが掛けられた状態を示した側面図であり、側方から見た図である。
【図７】図７は、本ヘルメットホルダにヘルメットのリングが掛けられた状態を示した平面図であり、上方から見た図である。
【図８】図８は、本ヘルメットホルダにヘルメットのリングが掛けられた状態を示した斜視図であり、斜め前上方から見た図である。
【発明を実施するための形態】
【００２１】
以下に、本発明の実施形態を、図面を参照して詳細に説明する。本発明の実施形態においては、鞍乗型車両として自動二輪車が適用される構成を示す。説明の便宜上、本発明の実施形態にかかる自動二輪車を「本自動二輪車１」と称し、本自動二輪車１に適用されるヘルメットホルダを、「本ヘルメットホルダ８」と称する。また、本自動二輪車１および本ヘルメットホルダ８の「前」「後」「右」「左」「上」「下」の各向きは、本自動二輪車１に搭乗する運転者の向きを基準とする。各図において、矢印「Ｆｒ」は前側を示し、矢印「Ｒｒ」は後側を示し、矢印「ＩＮ」は、左右方向の内側を示し、矢印「ＯＵＴ」は、左右方向の外側を示す。
【００２２】
まず、本自動二輪車１の全体的な構成を、図１と図２を参照して説明する。図１は、本自動二輪車１を左側から見た側面図である。図２は、図１のＡ部近傍の拡大図であり、本ヘルメットホルダ８が設けられる部分を抜き出して示した図である。図１と図２に示すように、本自動二輪車１は、車体フレーム１１と、操舵装置１２と、後輪懸架装置１３と、エンジンユニット１４と、排気装置１５と、複数のフレームカバー１６と、その他の所定の装置や部材とを含む。さらに、本自動二輪車１には、本ヘルメットホルダ８が設けられる。
【００２３】
車体フレーム１１は、ヘッドパイプ１１１と、左右一対のメインチューブ１１２と、ピボットブラケット１１３と、ダウンチューブ１１４と、シートレール１１５とを含む。ヘッドパイプ１１１は、後傾する管状の部分を有する。左右一対のメインチューブ１１２は、ヘッドパイプ１１１の後部から、それぞれ、後方斜め右下と後方斜め左下に向かって伸びる部分を有する。ピボットブラケット１１３は、左右一対のメインチューブ１１２の後方に設けられる部分である。ダウンチューブ１１４は、ヘッドパイプ１１１の後部から左右一対のメインチューブ１１２の下方に向かって伸びる部分と、この部分の下端から後方に伸びてピボットブラケット１１３に結合する部分とを有する。ピボットブラケット１１３の上部にはシートレール１１５が設けられる。シートレール１１５は、ピボットブラケット１１３の上部から後方斜め上方に向かって延伸する部材である。なお、シートレール１１５は、フレームカバー１６（後述）に隠れて外部からは見えないため、図１と図２においては破線で示している。
【００２４】
シートレール１１５の上側には、着座シート５１が着脱可能に取り付けられる。着座シート５１およびシートレール１１５の後部には、着座シート５１をシートレール１１５に固定するためのロック機構（図略）が設けられる。また、メインチューブ１１２の上側には、燃料タンク５３が設けられる。
【００２５】
操舵装置１２は、ステアリングシャフト（図においては隠れて見えない）と、ハンドル１２１と、左右一対のフロントフォーク１２２と、前輪１２３とを含む。そして、操舵装置１２は、車体フレーム１１の前部に、車体フレーム１１に対して回転可能に配置される。ステアリングシャフトは、ヘッドパイプ１１１に回転可能に支持される。ハンドル１２１は、ステアリングシャフトの上端に設けられる。左右一対のフロントフォーク１２２は、それぞれ、ステアリングシャフトの左右に配置される。前輪１２３は、左右一対のフロントフォーク１２２の下端に、回転自在に配置される。ハンドル１２１は、左右のハンドルグリップ１２４を有する。右側のハンドルグリップ１２４には、スロットルグリップと、前輪のブレーキレバーとが設けられる。左側のハンドルグリップ１２４には、クラッチを操作するためのクラッチレバー１２５が設けられる。
【００２６】
エンジンユニット１４は、車体フレーム１１のメインチューブ１１２とダウンチューブ１１４とピボットブラケット１１３とにより形成される空間に配置される。エンジンユニット１４は、シリンダアセンブリと、クランクケースアセンブリとを含む。シリンダアセンブリには、燃焼室と、燃焼室に燃料と空気の混合気を供給するインテークポートと、燃焼室の排気ガスを排出するエグゾーストポートとが設けられる。クランクケースアセンブリには、エンジンのクランクシャフトと、変速機と、クラッチとが設けられる。クランクケースアセンブリの左側後部には、ドリブンシャフト（図１においては隠れて見えない）の左端が突出しており、ドリブンシャフトの左端には、ドライブチェーンスプロケット（図１においては隠れて見えない）が設けられる。
【００２７】
後輪懸架装置１３は、スイングアーム１３１と、ショックアブソーバ（図においては隠れて見えない）と、後輪１３２とを含む。後輪懸架装置１３は、車体フレーム１１のピボットブラケット１１３の後部に設けられ、前端がピボットブラケット１１３に対して上下方向に搖動可能に連結される。ショックアブソーバは、スイングアーム１３１とピボットブラケット１１３との間に設けられ、スイングアーム１３１からピボットブラケット１１３に伝達する振動や衝撃などを吸収や緩和する。後輪１３２は、スイングアーム１３１の後端に配置され、スイングアーム１３１により回転自在に支持される。後輪１３２の左側には、ドリブンチェーンスプロケット１３３が設けられる。後輪１３２とドリブンチェーンスプロケット１３３とは一体に回転する。そして、エンジンユニット１４のドライブチェーンスプロケットと、後輪のドリブンチェーンスプロケット１３３とは、チェーン５２により回転動力を伝達可能に連結される。
【００２８】
排気装置１５は、消音器１５１と排気管１５２とを含む。消音器１５１は、エンジンユニット１４の後方であって、後輪１３２の側方に配置される。排気管１５２の一方の端部は、エンジンユニット１４のシリンダアセンブリのエグゾーストポートに接続される。排気管１５２の他方の端部は、消音器１５１の前側に接続される。そして、排気管１５２は、エンジンユニット１４のシリンダアセンブリの前側から前方に向かい、シリンダアセンブリの前方において後方に向かって湾曲し、シリンダアセンブリの側方または下方を通過し、消音器１５１の前側に到達する。
【００２９】
複数のフレームカバー１６は、本自動二輪車１の側方外側に設けられる部材であり、本自動二輪車１の外観の意匠を構成する。図１に示すように、本自動二輪車１は、複数のフレームカバー１６として、互いに別個の部材である前部フレームカバー１６１と後部フレームカバー１６２とを有する。前部フレームカバー１６１と後部フレームカバー１６２とは、例えば樹脂材料からなり、それぞれ射出成形などによって一体に形成される。前部フレームカバー１６１は、燃料タンク５３の下方から着座シート５１の前後方向略中心にかけて設けられる。後部フレームカバー１６２は、着座シート５１の前後方向略中心から本自動二輪車１の後部にかけて設けられる。前部フレームカバー１６１と後部フレームカバー１６２とは、車体フレーム１１のメインチューブ１１２やシートレール１１５に取り付けられる。
【００３０】
車体フレーム１１のシートレール１１５には、本ヘルメットホルダ８が設けられる。具体的には、本ヘルメットホルダ８は、着座シート５１の前後方向の中間であって、前部フレームカバー１６１と後部フレームカバー１６２の境界近傍に設けられる。図１と図２においては、本ヘルメットホルダ８が、後部フレームカバー１６２の前端近傍に設けられる構成を示す。なお、本ヘルメットホルダ８は、本自動二輪車１に着座シート５１が取り付けられている状態においては、着座シート５１および後部フレームカバー１６２に覆われており、外部から見えない。
【００３１】
本ヘルメットホルダ８の近傍におけるシートレール１１５と後部フレームカバー１６２の構成を、図３を参照して説明する。図３は、シートレール１１５と後部フレームカバー１６２と本ヘルメットホルダ８との関係を示した断面図である。図３に示すように、後部フレームカバー１６２は、シートレール１１５の外側に、シートレール１１５から離間して設けられる。後部フレームカバー１６２はシェル状の部材であり、シートレール１１５の側方外側を斜め上から斜め下方にかけて覆うように設けられる。後部フレームカバー１６２の上面には、内側の縁に沿って、上側に向かって起立するリブ１６３，１６４が設けられる。リブ１６３，１６４の上端は、シートレール１１５の上面よりも上側に位置する。このため、本自動二輪車１を側方から見ると、シートレール１１５は後部フレームカバー１６２に隠れて見えない。リブ１６３，１６４は、着座シート５１の下面と係合する。このため、本自動二輪車１に着座シート５１が取り付けられると、シートレール１１５は着座シート５１および後部フレームカバー１６２に覆われて外部から見えない。
【００３２】
次に、本ヘルメットホルダ８の構成について、図３と図４を参照して説明する。図４（ａ）は、本ヘルメットホルダ８を左側から見た側面図である。図４（ｂ）は、本ヘルメットホルダ８を上側から見た平面図である。本ヘルメットホルダ８は、規制部８１と、フック部８２と、固定部８３とを有する。なお、以下の説明においては、本ヘルメットホルダ８の各部の向きは、本ヘルメットホルダ８がシートレール１１５に取り付けられている状態を基準とする。
【００３３】
規制部８１は、後部フレームカバー１６２の変形を規制する機能を有する部分である。規制部８１は、略棒状または突起状に形成される部分であり、シートレール１１５から後部フレームカバー１６２の内周面（特に、上端の縁部の近傍）に向かって突起する。後部フレームカバー１６２は、シートレール１１５の外側に離間した位置に設けられ、その内側の縁部はシートレール１１５の上端よりも高い位置にある。このため、規制部８１は、本自動二輪車１の外側斜め上方に向かって突起する。そして、規制部８１の先端は、後部フレームカバー１６２の内周面の内側下方に位置する。規制部８１の先端部には、クッション材８１１が設けられる。クッション材８１１は、後部フレームカバー１６２よりも軟らかい部材である。例えばクッション材８１１は、軟質の樹脂材料やゴムなどによって形成される。なお、規制部８１の先端（正確には、規制部８１に設けられるクッション材８１１の先端）と後部フレームカバー１６２の内周面とは接触しておらず、所定の隙間をおいて離間している。この隙間については後述する。
【００３４】
固定部８３は、シートレール１１５に接合される部分である。固定部８３は、互いに略直角に延伸する第一の部分８３１と第二の部分８３２とを有する。第一の部分８３１は、規制部８１の基端部からシートレール１１５の延伸方向に沿って略前側（＝前方斜め下方）に向かって延伸する。第二の部分８３２は、第一の部分８３１の前端からシートレール１１５の延伸方向に直角な方向の上側（＝前方斜め上方）に向かって延伸する。このため、固定部８３は、側方から見ると略「Ｌ」字形状の構造を有する。
【００３５】
フック部８２は、掛止部８２１とガイド部８２２とを有する。掛止部８２１は、ヘルメットのリング９１を掛ける部分である。掛止部８２１は、湾曲または屈曲している部分であり、円弧の内側が本自動二輪車１の内側を向くように形成される。具体的には、掛止部８２１は、固定部８３の第二の部分８３２の上端から斜め上方外側に向かって延伸し、上下方向の中間において湾曲または屈曲し、湾曲または屈曲している部分よりも上部は斜め上方内側に向かって延伸する。掛止部８２１の上端は、下端よりも横方向外側に位置している（特に図４（ｂ）参照）。このように、掛止部８２１は、シートレール１１５から本自動二輪車１の側方外側に向かって張り出すように形成される。なお、掛止部８２１は、略円弧状に湾曲している構成であってもよく、略Ｌ字形状に屈曲している構成であってもよい。要は、掛止部８２１は、その下端が固定部８３を介してシートレール１１５に固定されており、下端と上端との中間部が、下端および上端よりも側方外側に張り出すように湾曲または屈曲している構成であればよい。
【００３６】
ガイド部８２２は、本ヘルメットホルダ８にヘルメットのリング９１を掛ける際に、ヘルメットのリング９１を通過させる部分である。ガイド部８２２は、略棒状に形成され、掛止部８２１の上端から後方に向かって延伸する。なお、ガイド部８２２は、シートレール１１５の延伸方向に対して所定の角度をもって傾斜しており、前端から後端に向かうにしたがって、上下方向・左右方向ともに、シートレール１１５に徐々に接近する。そして、ガイド部８２２の後端は、シートレール１１５の斜め上方外側に位置する。ガイド部８２２の後端とシートレール１１５とは離間しており、ヘルメットのリング９１をガイド部８２２に通すことができる隙間が形成される。
【００３７】
このように、フック部８２の一端（＝掛止部８２１の下端）は、固定部８３を介してシートレール１１５に固定される。一方、フック部８２の他端（＝ガイド部８２２の後端）は、シートレール１１５から離間している。そして、フック部８２の前端（＝ガイド部８２２の前端および掛止部８２１）は、規制部８１よりも前側に位置する。一方、フック部８２の後端（＝ガイド部８２２の後端）は、規制部８１よりも後側に位置する。換言すると、規制部８１は、フック部８２の前端と後端との中間位置に設けられる。特に、規制部８１は、ガイド部８２２の長手方向（＝略前後方向）の中間位置に設けられる。
【００３８】
本ヘルメットホルダ８は、単一の金属線または金属棒によって一体に形成される。たとえば、本ヘルメットホルダ８は、単一の金属線または金属棒を曲げ加工することによって形成される。そして、本ヘルメットホルダ８は、固定部８３がシートレール１１５に溶接などされることによって、シートレール１１５に固定される。
【００３９】
次に、本ヘルメットホルダ８と後部フレームカバー１６２との関係について、図３〜図５を参照して説明する。図５は、本ヘルメットホルダ８と後部フレームカバー１６２との関係を示した側面図である。図３〜図５に示すように、本ヘルメットホルダ８のフック部８２の前部（＝掛止部８２１の上部とガイド部８２２の前部）とは、後部フレームカバー１６２の上端よりも上側に位置する。これに対して、ガイド部８２２の後部は、後部フレームカバー１６２の上端よりも下側に位置する。また、後部フレームカバー１６２には、掛止部８２１に対応する位置に、外側に向かって切り欠かれるような構成の凹部１６５が形成される。そして、本ヘルメットホルダ８の掛止部８２１の上部は、この凹部１６５を通じて、後部フレームカバー１６２の上側に突出する。なお、凹部１６５に形成されるリブ１６４の高さは、他の部分に形成されるリブ１６３（特に、ガイド部８２２の後端に対応する位置に形成されるリブ）よりも低い。
【００４０】
本ヘルメットホルダ８の規制部８１と後部フレームカバー１６２との関係を、図３を参照して説明する。本ヘルメットホルダ８の規制部８１の先端と、後部フレームカバー１６２の内周面との間には、所定の寸法の隙間が形成される。このため、後部フレームカバー１６２は、外側から内側に向かって押し込まれると、変形してその上端が下側に向かって移動する。変形が大きいと、その内周面が本ヘルメットホルダ８の規制部８１の先端に接触する。しかしながら、後部フレームカバー１６２は、その内周面が本ヘルメットホルダ８の規制部８１の先端に接触すると、それ以上は変形できない。そして、前記隙間の寸法は、後部フレームカバー１６２が変形し、その内周面が本ヘルメットホルダ８の規制部８１の先端に接触しても、後部フレームカバー１６２の上端がガイド部８２２の後端よりも下方に位置しないような寸法に設定される。このように、本ヘルメットホルダ８の規制部８１は、後部フレームカバー１６２の変形を規制し、後部フレームカバー１６２の上端がガイド部８２２の後端よりも下方に達しないようにする。
【００４１】
次に、本ヘルメットホルダ８の使用方法および使用状態を、図６〜８を参照して説明する。図６〜８は、本ヘルメットホルダ８にヘルメットのリング９１が掛けられた状態を示した図であり、図６は側方から見た側面図、図７は上方から見た平面図、図８は斜め前上方から見た斜視図である。本自動二輪車１から着座シート５１が取り外されていると、本ヘルメットホルダ８およびその近傍が露出する。そして、使用者は、ヘルメットのリング９１をガイド部８２２の後端を通し、前方に移動させて掛止部８２１に移動させる。この状態で、使用者は、着座シート５１をシートレール１１５に取り付け、ロック機構を用いてシートレール１１５に固定する。そうすると、本ヘルメットホルダ８は着座シート５１およびフレームカバー１６に覆われて露出しなくなる（図２参照）。
【００４２】
図６〜８に示すように、本ヘルメットホルダ８のフック部８２の一部（＝掛止部８２１の上部とガイド部８２２の前部）は、後部フレームカバー１６２の上面から上方に突出している。このため、本ヘルメットホルダ８のフック部８２に掛けられたヘルメットのリング９１は、後部フレームカバー１６２の上面に沿って寝た姿勢となる。したがって、着座シート５１がシートレール１１５に取り付けられている状態において、ヘルメットのリング９１と着座シート５１とが干渉しない。さらに、本ヘルメットホルダ８のフック部８２の掛止部８２１は、外側に向かって張り出している。そして、掛止部８２１は、後部フレームカバー１６２に設けられる凹部１６５に入り込んでいる。このため、掛止部８２１に掛けられるヘルメットのリング９１は、シートレール１１５から外側に離れた位置にある。また、後部フレームカバー１６２の凹部１６５の内周縁に形成されるリブ１６４の高さは、他の部分に形成されるリブ１６３よりも低い。そして、ヘルメットのリング９１は、本ヘルメットホルダ８のフック部８２の掛止部８２１に掛けられると、凹部１６５のリブ１６４を乗り越して後部フレームカバー１６２の上面に載る。したがって、着座シート５１がシートレール１１５に取り付けられる際に、ヘルメットのリング９１が、着座シート５１やシートレール１１５と干渉しない。このため、着座シート５１をシートレール１１５にスムーズに取付けることができる。
【００４３】
本ヘルメットホルダ８の作用効果は、次のとおりである。まず、図３を参照して説明する。後部フレームカバー１６２が外部から押し込まれて変形すると、その内周面が本ヘルメットホルダ８の規制部８１に接触する。そうすると、後部フレームカバー１６２は、規制部８１によって変形が規制され、それ以上は内側に向かって変形できない。そして、後部フレームカバー１６２の内周面が規制部８１に接触しても、後部フレームカバー１６２のリブ１６３の上端は、本ヘルメットホルダ８のガイド部８２２の後端よりも下側に変位しない。すなわち、本ヘルメットホルダ８のガイド部８２２の後端は、後部フレームカバー１６２の上端よりも上方に突出しない。したがって、ヘルメットのリング９１がガイド部８２２の後端から抜けることが防止される。
【００４４】
後部フレームカバー１６２に外力が掛かっていない状態においては、規制部８１の先端は、後部フレームカバー１６２の内周面に接触しない。このため、後部フレームカバー１６２や規制部８１の先端が摩耗や損傷することを防止できる。さらに、運転時の振動や乗車時の変形などによって規制部８１の先端が後部フレームカバー１６２の内周面に接触しても、規制部８１の先端にはクッション材８１１が設けられるから、後部フレームカバー１６２や規制部８１の摩耗や損傷を防止できる。
【００４５】
次いで、図４を参照して本ヘルメットホルダ８の作用効果を説明する。本ヘルメットホルダ８の規制部８１は、フック部８２の近傍であって、前端と後端の中間位置に設けられる。具体的には、本ヘルメットホルダ８の規制部８１は、フック部８２のガイド部８２２の長手方向の中間位置に設けられる。このため、ヘルメットのリング９１をフック部８２から外すためには、ヘルメットのリング９１を規制部８１の近傍を通過させる必要がある。そして、後部フレームカバー１６２は規制部８１によって変形が規制されるから、着座シート５１と後部フレームカバー１６２の上端との間に、ヘルメットのリング９１が通過可能な隙間が生じることが防止される。このため、ヘルメットのリング９１が規制部８１の近傍を通過してガイド部８２２の後端から抜け出ることを防止できる。
【００４６】
さらに、ガイド部８２２は、シートレール１１５に対して傾斜しており、前端（＝掛止部８２１の上端）から後端に向かうにしたがって、シートレール１１５に接近し、後部フレームカバー１６２の内周面から離れる。このため、ヘルメットのリング９１をガイド部８２２から抜き取るためには、当該ヘルメットのリング９１を、後部フレームカバー１６２から内側に移動させる必要がある。したがって、例えば、ガイド部８２２がシートレール１１５の表面や後部フレームカバー１６２の内周面に平行な構成と比較すると、ヘルメットのリング９１が抜け出にくくなる。
【００４７】
本ヘルメットホルダ８は、単一の金属線材または金属棒材からなり、曲げ加工などによって形成される。このため、部品点数の増加を防止することができる。そして、部品点数の増加を防止できるから、本ヘルメットホルダ８をシートレール１１５に取り付ける作業の工数の削減を図ることができる。また、本ヘルメットホルダ８の材料として、単純な金属線または金属棒が適用できるから、部品コストの削減を図ることができる。そして、固定部８３は、略Ｌ字形状に形成されるため、固定部８３がシートレール１１５の側面に配設されると、規制部８１が突出する向きや、ガイド部８２２とシートレール１１５との角度や相対的な位置関係が自動的に規定される。このため、本ヘルメットホルダ８の組み付け作業が容易になる。
【００４８】
フレームカバー１６が前部フレームカバー１６１と後部フレームカバー１６２とに分割して形成される構成であっても、フレームカバー１６の変形を規制し、着座シート５１とフレームカバー１６との間に隙間が生じることが防止できる。すなわち、従来のヘルメットホルダが適用される自動二輪車においては、ヘルメットホルダ近傍におけるフレームカバーの強度を高めて変形を防止する必要がある。このため、フレームカバーを一体に形成することにより強度を高めるという構成が用いられている。しかしながら、フレームカバーが一体に成形される構成では、フレームカバーの成形に用いる成形型が大型化するため、設備コストが上昇する。さらに、フレームカバーの意匠の自由度が低いという問題点を有している。これに対して、本ヘルメットホルダ８が適用される本自動二輪車１によれば、規制部８１によってフレームカバー１６の変形が規制される構成であるから、フレームカバー１６の強度の向上を図るために一体に成形する必要がない。そして、フレームカバー１６が、たとえば前部フレームカバー１６１と後部フレームカバー１６２とに分割して形成される構成であると、フレームカバー１６の成形に用いられる成形型の小型化を図ることができる。このため、設備コストの削減を図ることができる。また、前部フレームカバー１６１と後部フレームカバー１６２とを別個に形成できるから、フレームカバー１６の意匠の自由度が向上する。
【００４９】
以上、本発明の実施形態を、図面を参照して詳細に説明したが、本発明は前記実施形態に何ら限定されるものではない。本発明は、発明の趣旨を逸脱しない範囲において、種々の改変が可能である。たとえば、前記実施形態においては、本ヘルメットホルダがシートレールに設けられる構成を示したが、本ヘルメットホルダが設けられる部材は限定されない。本ヘルメットホルダが、車体フレームのメインチューブやピボットブラケットに設けられる構成であってもよい。また、前記実施形態においては、本ヘルメットホルダが、本自動二輪車の左側に設けられる構成を示したが、右側に設けられる構成であってもよい。さらに、本ヘルメットホルダの数は限定されるものではなく、運転者用と同乗者用の二つの本ヘルメットホルダが設けられる構成であってもよい。この場合には、本自動二輪車の右側または左側のいずれかに二つの本ヘルメットホルダが設けられる構成であってもよく、左右両側に設けられる構成であってもよい。
【００５０】
また、前記実施形態においては、複数のフレームカバーとして、前部フレームカバーと後部フレームカバーが適用される構成を示したが、フレームカバーの数は限定されない。たとえば、本自動二輪車の側方に、３以上のフレームカバーが設けられる構成であってもよい。
【産業上の利用可能性】
【００５１】
本発明のヘルメットホルダの適用対象は自動二輪車に限定されるものではない。たとえば、本発明のヘルメットホルダは、原動機付自転車や、ハンドル形電動車いす（いわゆるシニアカー）や、不整地走行用の二輪車・三輪車など、各種の鞍乗型車両に適用できる。
【符号の説明】
【００５２】
１：自動二輪車、１１：車体フレーム、１１５：シートレール、１６：フレームカバー、１６１：前部フレームカバー１６１：後部フレームカバー、１６３：リブ、１６４：凹部、１６５：リブ、１６４５１：着座シート、８：ヘルメットホルダ、８１：ヘルメットホルダの規制部、８２：ヘルメットホルダの掛止部、８３：ヘルメットホルダの固定部、８６：ヘルメットホルダのガイド部、８７：クッション材
【図１】
0005817180.tif 000002
【図２】
0005817180.tif 000003
【図３】
0005817180.tif 000004
【図４】
0005817180.tif 000005
【図５】
0005817180.tif 000006
【図６】
0005817180.tif 000007
【図７】
0005817180.tif 000008
【図８】
0005817180.tif 000009